(57)【要約】【課題】患者がアンテナの位置を気にせずリラックスした状態で加熱効率の良い温熱治療をすることができ、さらに治療する患部以外への予期しない放射や他の電気機器への電波障害による誤作動を軽減する。【解決手段】前記患者の前記患部に固定するアンテナ固定手段を有するアタッチメントを前記アンテナに設け、前記アンテナから前記患部以外に放射される前記マイクロ波を減らし前記患部を効率良く治療できるようにした放射効率改善手段を設ける。【選択図】図１
2015119797.tif 000002
【特許請求の範囲】
【請求項１】
マイクロ波を発生する発振部と、
前記発振部を駆動するための電力を供給する電源部と、
患者の治療とする患部に前記マイクロ波を放射するためのアンテナと、
を備えたマイクロ波治療器において、
前記患者の前記患部に固定するアンテナ固定手段を有するアタッチメントを前記アンテナに設け、
前記アンテナから前記患部以外に放射される前記マイクロ波を減らし前記患部を効率良く治療できるようにした放射効率改善手段を設け
たことを特徴とするマイクロ波治療器。
【請求項２】
前記アタッチメントの形状を、座部及び背凭部からなる椅子形状とし、前記背凭部に前記アンテナを埋め込み前記患者の腰椎部分に前記マイクロ波が放射できるようアンテナ腰椎固定手段を設け
たことを特徴とする請求項１に記載のマイクロ波治療器。
【請求項３】
前記アタッチメントの形状を、座部及びフットレスト部からなる椅子形状とし、前記フットレスト部に前記アンテナを埋め込み前記患者の下肢部分に前記マイクロ波が放射できるようアンテナ下肢固定手段を設け
たことを特徴とする請求項１乃至２に記載のマイクロ波治療器。
【請求項４】
前記アタッチメントの形状を、座部及び肘掛部からなる椅子形状とし、前記肘掛部に前記アンテナを埋め込み前記患者の腕、手、肘部分に前記マイクロ波が放射できるようアンテナ上肢固定手段を設け
たことを特徴とする請求項１乃至３に記載のマイクロ波治療器。
【請求項５】
前記アタッチメントの形状を、座部及び背凭部からなる椅子形状とし、前記背凭部に前記アンテナを埋め込み前記患者の肩部分に前記マイクロ波が放射できるようアンテナ肩固定手段を設け
たことを特徴とする請求項１乃至４に記載のマイクロ波治療器。
【請求項６】
前記アタッチメントの形状を、座部及び足置部からなる椅子形状とし、前記足置部に前記アンテナを埋め込み前記患者の足裏部分に前記マイクロ波が放射できるようアンテナ足裏固定手段を設け
たことを特徴とする請求項１乃至５に記載のマイクロ波治療器。
【請求項７】
請求項１乃至６に記載の前記アタッチメントから前記アンテナ固定手段が脱着できる脱着手段を設け
たことを特徴とするマイクロ波治療器。
【請求項８】
請求項１乃至７に記載の前記アンテナ固定手段は前記アンテナ固定手段が有する範囲内で前記アンテナの固定位置を変更させることができる固定位置変更手段を設け
たことを特徴とするマイクロ波治療器。
【発明の詳細な説明】
【技術分野】
【０００１】
本発明は、生体患部にマイクロ波を放射して温熱治療を施すマイクロ波治療器に関するものであり、特に、マイクロ波を放射するアンテナの生体患部への固定に関するものである。
【背景技術】
【０００２】
マイクロ波治療器は、アンテナから放射されたマイクロ波を生体組織に放射して加温する温熱治療器である。
アンテナから放射されたマイクロ波は、電磁界からなるマイクロ波エネルギーとして生体組織に吸収されることによって患部を加温することで温熱治療となる。
ここでマイクロ波は、それが有する周波数帯の特徴により、ヒータ等の伝導熱や赤外線等の輻射熱を用いた治療器と比較して患者の深部の加温が可能であり、また、アンテナと患者間に患者が着用する衣服等の障害物が存在していたとしても関係なく放射が可能であり、患者が衣服を脱がずに所望する患部を温熱治療できるという利点を有する。
【０００３】
図３（ａ）は従来のマイクロ波治療器の外観図である。この治療器では、比較的狭い範囲を治療する丸型アンテナ２４、広範囲を治療するワイドアンテナ２５が設けられており、治療する患部の範囲に応じてアンテナを使い分ける。
【０００４】
従来より、患者に対し温熱治療用のマイクロ波治療器を使用する際、患部へアンテナを固定させる方法は、治療器本体に設けたアームにアンテナを取り付け、アンテナを放射する患部の近傍に位置するようアームを固定させる事にによって位置を固定している。
図３（ｂ１）、（ｂ２）、（ｂ３）にその様子を示す。この方法では、患者は自由に動くことが可能な状態であるため、治療中はアームの固定状態を保持しなければならないので、患者に動かない事を指示しアームの固定状態を保持している。よって、患者は治療中に自身の体勢を保持することを強いられている。
【０００５】
また、図３（ｂ）の様子でも判るとおり、治療時、従来のアンテナ２４では人体２８から非接触で使用する。従来のアンテナ２４では人体１７から一定距離を離した状態で治療しなければならない。これは、従来のアンテナ２４の近傍で治療を行うと、当初予定する電場による加温以外の予定されていない磁場等による加温が発生することで、加温される部分にムラが発生し局所加温が発生するという問題があるからである。
【０００６】
また、アンテナ２４は非接触で使用するため、アンテナからのマイクロ波の漏れにより、治療する患部以外へ予期しない放射や、他の電気機器への電波障害による誤作動という問題点があり、アンテナと人体との距離によっては、アンテナと人体間のインピーダンス整合が不適となり、予定している加熱効率が低下するという治療上の問題点もある。
この問題に対して、特許文献２では、アンテナ２４と人体１７との距離を一定距離以上に確保し、且つ電磁遮蔽カバーを設けた手段が開示されている。
【０００７】
しかし、この方法であっても、患者は治療中自身の体勢を保持することを強いられており、アンテナの位置を気にせずリラックスした状態で治療できないという問題が残る。
【０００８】
この問題に対して、特許文献１では、患者に対しアンテナを固定する手段が開示されているが、この場合、放射する電磁波の周波数帯は異なりマイクロ波ではなく、ＭＨｚ程度の高周波帯であるため、深部治療の効果は低くマイクロ波のような深部加温の治療効果は期待できない。
【先行技術文献】
【特許文献】
【０００９】
【特許文献１】特開２００７−０２０９３５号公報
【特許文献２】特開２００４−３１３５８２号公報
【発明の概要】
【発明が解決しようとする課題】
【００１０】
マイクロ波治療器のアンテナは、非接触で一定距離をもって使用しなければならないのでマイクロ波の漏れを防ぐ手段が必要になり、加熱効率を低下させずに小型にすることができないという問題点、及び患者はアンテナの位置を気にせずリラックスした状態で治療できないという問題点がある。
【００１１】
本発明は上記の点に鑑みてなされたもので、患者はアンテナの位置を気にせずリラックスした状態で加熱効率の良い温熱治療をすることができ、さらに治療する患部以外への予期しない放射や他の電気機器への電波障害による誤作動を軽減することのできるマイクロ波治療器を提供することを目的とする。
【課題を解決するための手段】
【００１２】
請求項１に記載の発明は、
マイクロ波を発生する発振部と、
前記発振部を駆動するための電力を供給する電源部と、
患者の治療とする患部に前記マイクロ波を放射するためのアンテナと、
を備えたマイクロ波治療器において、
前記患者の前記患部に固定するアンテナ固定手段を有するアタッチメントを前記アンテナに設け、
前記アンテナから前記患部以外に放射される前記マイクロ波を減らし前記患部を効率良く治療できるようにした放射効率改善手段を設け
たことを主な特徴とする。
【００１３】
請求項２に記載の発明は、請求項１に記載のマイクロ波治療器が、
前記アタッチメントの形状を、座部及び背凭部からなる椅子形状とし、前記背凭部に前記アンテナを埋め込み前記患者の腰椎部分に前記マイクロ波が放射できるようアンテナ腰椎固定手段を設け
たことを主な特徴とする。
【００１４】
請求項３に記載の発明は、請求項１乃至２に記載のマイクロ波治療器が、
前記アタッチメントの形状を、座部及びフットレスト部からなる椅子形状とし、前記フットレスト部に前記アンテナを埋め込み前記患者の下肢部分に前記マイクロ波が放射できるようアンテナ下肢固定手段を設け
たことを主な特徴とする。
【００１５】
請求項４に記載の発明は、請求項１乃至３に記載のマイクロ波治療器が、
前記アタッチメントの形状を、座部及び肘掛部からなる椅子形状とし、前記肘掛部に前記アンテナを埋め込み前記患者の腕、手、肘部分に前記マイクロ波が放射できるようアンテナ上肢固定手段を設け
たことを主な特徴とする。
【００１６】
請求項５に記載の発明は、請求項１乃至４に記載のマイクロ波治療器が、
前記アタッチメントの形状を、座部及び背凭部からなる椅子形状とし、前記背凭部に前記アンテナを埋め込み前記患者の肩部分に前記マイクロ波が放射できるようアンテナ肩固定手段を設け
たことを主な特徴とする。
【００１７】
請求項６に記載の発明は、請求項１乃至５に記載のマイクロ波治療器が、
前記アタッチメントの形状を、座部及び足置部からなる椅子形状とし、前記足置部に前記アンテナを埋め込み前記患者の足裏部分に前記マイクロ波が放射できるようアンテナ足裏固定手段を設け
たことを主な特徴とする。
【００１８】
請求項７に記載の発明は、請求項１乃至６に記載の前記アタッチメントから前記アンテナ固定手段が脱着できる脱着手段を設け
たことを主な特徴とする。
【００１９】
請求項８に記載の発明は、請求項１乃至７に記載の前記アンテナ固定手段は前記アンテナ固定手段が有する範囲内で前記アンテナの固定位置を変更させることができる固定位置変更手段を設け
たことを主な特徴とする。
【００２０】
請求項９に記載の発明は、請求項８に記載の固定位置変更手段はプログラムに応じて自動的に固定位置を変更させることができる固定位置自動変更手段を設け
たことを主な特徴とする。
【００２１】
請求項１０に記載の発明は、請求項１乃至９に記載のマイクロ波治療器が、
前記アンテナ固定手段を前記患者の前記患部に固定していない時は、前記マイクロ波が放射されない自動停止手段を設け
たことを主な特徴とする。
【発明の効果】
【００２２】
本発明によれば、患者はアンテナの位置を気にせずリラックスした状態で加熱効率の良い温熱治療をすることができ、さらに治療する患部以外への予期しない放射や他の電気機器への電波障害による誤作動を軽減することのできるマイクロ波治療器を提供することができるようになる。
【図面の簡単な説明】
【００２３】
【図１】本発明の請求項１乃至４に係るマイクロ波治療器のアタッチメントの一実施例である。
【図２】従来のマイクロ波治療器のマイクロ波を発生させる回路ブロック図である。
【図３】従来のマイクロ波治療器の外観図、及び治療の様子を表した概略図である。
【図４】本発明の請求項４に係るマイクロ波治療器のアタッチメントの一実施例である。
【図５】本発明の請求項５に係るマイクロ波治療器のアタッチメントの一実施例である。
【図６】本発明の請求項６に係るマイクロ波治療器のアタッチメントの一実施例である。
【図７】本発明に係るアンテナ固定手段の一実施例である。
【発明を実施するための形態】
【００２４】
以下、本発明を実施するための形態について図面を参照して説明する。
【実施例１】
【００２５】
図１は、本発明の請求項１乃至４に係るマイクロ波治療器のアタッチメントの一実施例である。
図２は、従来のマイクロ波治療器のマイクロ波を発生させる回路ブロック図である。
図３は、従来のマイクロ波治療器の外観図、及び治療の様子を表した概略図である。図３（ａ）は、従来のアンテナを有するマイクロ波治療器の本体の概略図である。図３（ｂ１）は、従来のマイクロ波治療器で腰椎を治療する時の様子の説明図である。図３（ｂ２）は、従来のマイクロ波治療器で肩を治療する時の様子の説明図である。図３（ｂ３）は、従来のマイクロ波治療器で脚を治療する時の様子の説明図である。
図４は、本発明の請求項４に係るマイクロ波治療器のアタッチメントの一実施例である。
図５は、本発明の請求項５に係るマイクロ波治療器のアタッチメントの一実施例である。
図６は、本発明の請求項６に係るマイクロ波治療器のアタッチメントの一実施例である。
図７は、本発明に係るアンテナ固定手段の一実施例である。図７（ａ１）、（ａ２）はアンテナを実際に固定手段の一実施例の構造図である。図７（ｂ１）、（ｂ２）はアンテナ形状の概略図である。図７（ｃ）はアンテナをアンテナ固定手段に固定した時の概略図である。
【００２６】
以下、本発明の請求項１乃至８に係るマイクロ波治療器について説明する。
マイクロ波治療器の回路ブロック図を図２に示す。なお、本体の制御部の機能は特段本発明に関連しないため詳細説明は省略し、ここでは、マイクロ波を発生させる発振部に係る回路ブロック図について主に説明する。
高圧トランス２１と、整流器２２と、マグネトロン２３と、アンテナ２４とから構成される。ＡＣ１００Ｖの交流入力は高圧トランス２１で昇圧された後、整流器２２で整流され、マグネトロン２３の陽極に供給され、マグネトロン２３の陽極電圧が発振電圧を超えるとマグネトロン２３が発振し、マイクロ波を発生し、発生したマイクロ波はアンテナ２４から放射される。主に高圧トランスを中心にこれらの回路を制御部で制御することでマイクロ波の放射を制御し温熱治療を行う。
次に、本発明に係るアンテナ固定手段の構成を図７（ａ１）、（ａ２）に示す。ここで、図７（ａ１）はアンテナ固定手段を正面から見た図で、図７（ａ２）はアンテナ固定手段を裏面から見た図である。
アンテナ固定手段は、放射部７２、アンテナスロットル７１からなり、アンテナを横から挿入することが可能である。
アンテナ固定手段の材質はマイクロ波の電磁波が吸収されず透過しやすいカーボン等が混入していない樹脂材料を用いる。場合により、部分的に金属等を使用しても問題ない。
図７（ｂ１）、（ｂ２）にアンテナ形状の例を示す。このアンテナはパッチアンテナを用いた接触型アンテナであり、アンテナ形状が薄型の板状となっており、使い勝手が良い。図７（ｃ）は図７（ｂ１）のアンテナを挿入した時の概略図である。
アンテナスロットル７１はアンテナの形状に合わせて挿入できるようにする。本来、アンテナ形状は図７（ｂ１）、（ｂ２）に挙げた薄い板状の形が好ましいが、従来型アンテナ２４であってもそれに応じたアンテナスロットル７１を設ければ同様に挿入することは可能である。ただし、従来型アンテナ２４を使う場合、アンテナ後部を収納する場所を確保しなければならないため、設置可能な場所に制限が出てくる。
アンテナスロットル７１に挿入したアンテナと放射部７２との距離を一定距離保つように調整することによって、非接触型、接触型いずれのアンテナも使用することが可能となる。
【００２７】
なお、このアンテナ固定手段を用いて完全に椅子にアンテナを埋没させた代表的なものを図１に示す。
図１は、イス１１、腰部放射部１２、腕部放射部１３、脚部放射部１４、表示灯１５、サイドパネル１６、本体２７からなる。
ここでは、アンテナを埋没させているため、特に前述のアンテナ固定手段を用いずとも固定することは可能である。また、同軸ケーブル２６もケーブル破損防止のため、イス１１内部に埋没させておく。また、図１では、本体２７は外部に存在するが、イス１１内部に内蔵させても良い。この場合、サイドパネル１６より機器の操作を行う。
【００２８】
以上によって、椅子の各部にマイクロ波の各放射部が固定されているため、患者は椅子の各部にもたれることで従来のような強制的に体勢を維持する必要が無くなり、患者はリラックスした状態で治療をすることが可能となる。
【００２９】
以下、本発明の請求項４について説明する。
図４に示すように、アンテナ固定手段を用いて手部放射部４１、手部放射部（カバー有り）４２、肘部放射部（カバー有り）４３を設ける。
ここで、手部放射部４１は、単純にアンテナ固定手段を当該位置に設けたものである。手部放射部４３は、患部の固定を確実にするためカバーを設けたものであり、さらにカバー側にも放射部を設けている。肘部放射部４３も同様である。また、これらの各部は脱着可能である。
以上によって、患者は体勢を維持するのが困難な手、腕、肘を自身の努力で維持する必要が無くなり、患者はリラックスした状態で治療をすることが可能となる。
【００３０】
以下、本発明の請求項３及び６について説明する。
図６に示すように、アンテナ固定手段を用いて脚部放射部６１、足裏放射部６２を設ける。
ここで、脚部放射部６１、足裏放射部６２は、患部の固定を確実にするためカバーを設けたものであり、さらにカバー側にも放射部を設けている。また、これらの各部は脱着可能である。
以上によって、患者は体勢を維持するのが困難な脚、足裏を自身の努力で維持する必要が無くなり、患者はリラックスした状態で治療をすることが可能となる。
【００３１】
以下、本発明の請求項５について説明する。
図５に示すように、アンテナ固定手段を用いて肩部放射部５１、５２を設ける。
ここで、肩部放射部５１、５２は、患部の固定を確実にするためカバーを設けたものであり、さらにカバー側にも放射部を設けている。また、これらの各部は脱着可能である。
以上によって、患者は体勢を維持するのが困難な肩を自身の努力で維持する必要が無くなり、患者はリラックスした状態で治療をすることが可能となる。
【符号の説明】
【００３２】
１１  イス
１２  腰部放射部
１３  腕部放射部
１４  脚部放射部
１５  表示灯
１６  サイドパネル
２１  高圧トランス
２２  整流器
２３  マグネトロン
２４  従来型アンテナ
２５  従来型ワイドアンテナ
２６  同軸ケーブル
２７  本体
２８  人体
４１  手部放射部
４２  手部放射部（カバー有り）
４３  肘部放射部（カバー有り）
５１  肩部放射部（サイドカバー有り）
５２  肩部放射部（トップカバー有り）
６１  脚部放射部（カバー有り）
６２  足裏放射部（カバー有り）
７１  スロットル
７２  放射部
【図１】
2015119797.tif 000003
【図２】
2015119797.tif 000004
【図３】
2015119797.tif 000005
【図４】
2015119797.tif 000006
【図５】
2015119797.tif 000007
【図６】
2015119797.tif 000008
【図７】
2015119797.tif 000009